(57)【要約】【課題】本管の外周を保持するチェーンの長さを、本管の外径に応じて簡単に変化させることができるサドルクランプ装置を提供する。【解決手段】サドル部２２の両側下端部に係止用突起２３を設けた分岐継手２０を本管３０の側面に接合した状態を保持するためのサドルクランプ装置であって、各々の側の係止用突起２３に係止される第１及び第２の係止部１、２と、この２つの係止部を連結するとともにサドル部２２との間で本管３０を抱き込むように配置されるチェーン３とからなる。このチェーン３には長さ調整用の係合ピン３ａが複数突設されている。また、第１の係止部１には前記係合ピン３ａを係合するチェーン着脱手段４が設けられており、このチェーン着脱手段４に本管３０の外径に対応した長さとなるように選択したいずれかの係合ピンを係合させてチェーン３を連結してある。【選択図】図１
2010060039.tif 000002
【特許請求の範囲】
【請求項１】
サドル部の両側下端部に係止用突起を設けた分岐継手を本管の側面に接合した状態を保持するためのサドルクランプ装置であって、各々の側の係止用突起に係止される第１及び第２の係止部と、この２つの係止部を連結するとともにサドル部との間で本管を抱き込むように配置されるチェーンとからなり、このチェーンには長さ調整用の係合ピンが複数突設されているとともに、第１の係止部には前記係合ピンを係合するチェーン着脱手段が設けられており、このチェーン着脱手段に本管の外径に対応した長さとなるように選択したいずれかの係合ピンを係合させてチェーンを連結してあることを特徴とするサドルクランプ装置。
【請求項２】
チェーン着脱手段は、係合ピン挿入用の孔部を設けた一対のチェーン挟持プレートと、常時はチェーンを挟持するようにチェーン挟持プレートを弾発するバネ部材を有しており、このバネ部材の弾発に反して一方のチェーン挟持プレートを拡開移動させることにより、係合ピンを着脱可能としてある請求項１に記載のサドルクランプ装置。
【請求項３】
第１の係止部は、チェーンを連結する連結棒と、係止用突起に係止する押え棒と、クランプ機構を支持する支持棒の両端部をプレートで固定した梯子状のものであり、前記押え棒は両端部をプレートに形成された長溝に沿って上下動自在とされており、前記クランプ機構の締め上げにより第１の係止部の外枠部が引き上げられてチェーンが本管をクランプするよう構成されている請求項１に記載のサドルクランプ装置。
【請求項４】
第２の係止部は、チェーンを連結する連結棒と、係止用突起に係止する押え棒の両端部をプレートで結合した枠状のものである請求項１に記載のサドルクランプ装置。
【発明の詳細な説明】
【技術分野】
【０００１】
本発明は、本管の外周を保持するチェーンの長さを、本管の外径に応じて簡単に調整することができるサドルクランプ装置に関するものである。
【背景技術】
【０００２】
従来から、図１０に示されるような、ポリエチレン樹脂よりなる配水管等が多数使用されており、本管３０の側面に同じくポリエチレン樹脂よりなる分岐管２１を接合することもよく行われている。この場合、鞍状のサドル部２２の両側に係止用突起２３を有する分岐継手２０を用い、このサドルクランプ装置により分岐継手２０を本管３０の側面に固定した状態として、融着接合するのが普通である。
【０００３】
このようなサドルクランプ装置としては、例えば特許文献１や特許文献２に示されるように、前記サドル部の係止用突起に係止可能な２つの係止部と、この２つの係止部を連結するチェーンを有するものが知られており、前記２つの係止部を各々係止用突起に係止するとともに、サドル部との間で本管を抱き込むようにチェーンを配置することで、分岐継手を本管の側面に固定した状態とし融着接合していた。
【０００４】
しかしながら、従来のサドルクランプ装置においては、本管の外径（いわゆる型番）に対応した長さの専用チェーンをそれぞれ準備しておき、分岐継手を接合する本管の外径に合わせた専用チェーンを選択して取り付けていたので、多数のチェーンを準備する必要がありコスト的に高くなるという問題点や、保管・搬送等が煩わしくなるという問題点があり、更には紛失の恐れもあった。また、チェーンの着脱交換はピンを抜いて行うため作業が煩雑であるという問題点もあった。一方、複数のチェーンを持たずにチェーンの継ぎ足しをすることで、本管の外径に合うように長さ調整することも行われているが、チェーンの継ぎ足しはピンを抜いて行う煩雑な作業であり作業性に劣るという問題点があった。
【特許文献１】特開２００４−３０８６８６号公報
【特許文献２】特開２００２−４８２８５号公報
【発明の開示】
【発明が解決しようとする課題】
【０００５】
本発明は上記のような問題点を解決して、１本のチェーンで長さ調整を可能とし、従来のようにチェーンを交換することなく、複数の本管サイズに対応して分岐継手を本管の側面に固定することできるサドルクランプ装置を提供することを目的として完成されたものである。
【課題を解決するための手段】
【０００６】
上記課題を解決するためになされた本発明のサドルクランプ装置は、サドル部の両側下端部に係止用突起を設けた分岐継手を本管の側面に接合した状態を保持するためのサドルクランプ装置であって、各々の側の係止用突起に係止される第１及び第２の係止部と、この２つの係止部を連結するとともにサドル部との間で本管を抱き込むように配置されるチェーンとからなり、このチェーンには長さ調整用の係合ピンが複数突設されているとともに、第１の係止部には前記係合ピンを係合するチェーン着脱手段が設けられており、このチェーン着脱手段に本管の外径に対応した長さとなるように選択したいずれかの係合ピンを係合させてチェーンを連結してあることを特徴とするものである。
【０００７】
また、チェーン着脱手段は、係合ピン挿入用の孔部を設けた一対のチェーン挟持プレートと、常時はチェーンを挟持するようにチェーン挟持プレートを弾発するバネ部材を有しており、このバネ部材の弾発に反して一方のチェーン挟持プレートを拡開移動させることにより、係合ピンを着脱可能としてあるものとすることができ、これを請求項２に係る発明とする。
【０００８】
また、第１の係止部は、チェーンを連結する連結棒と、係止用突起に係止する押え棒と、クランプ機構を支持する支持棒の両端部をプレートで固定した梯子状のものであり、前記押え棒は両端部をプレートに形成された長溝に沿って上下動自在とされており、前記クランプ機構の締め上げにより第１の係止部の外枠部が引き上げられてチェーンが本管をクランプするよう構成されているものとすることができ、これを請求項３に係る発明とする。
【０００９】
更に、第２の係止部は、チェーンを連結する連結棒と、係止用突起に係止する押え棒の両端部をプレートで結合した枠状のものとすることができ、これを請求項４に係る発明とする。
【発明の効果】
【００１０】
本発明では、各々の側の係止用突起に係止される第１及び第２の係止部と、この２つの係止部を連結するとともにサドル部との間で本管を抱き込むように配置されるチェーンとからなり、このチェーンには長さ調整用の係合ピンが複数突設されているとともに、第１の係止部には前記係合ピンを係合するチェーン着脱手段が設けられており、このチェーン着脱手段に本管の外径に対応した長さとなるように選択したいずれかの係合ピンを係合させてチェーンを連結したので、１本のチェーンにより種々の外径の本管が保持可能となり、また連結作業も簡単であり、従来のように多数のチェーンを準備する必要がなくなるうえに、煩雑な交換作業も省略できることとなる。
【００１１】
また、請求項２に係る発明では、チェーン着脱手段は、係合ピン挿入用の孔部を設けた一対のチェーン挟持プレートと、常時はチェーンを挟持するようにチェーン挟持プレートを弾発するバネ部材を有しており、このバネ部材の弾発に反して一方のチェーン挟持プレートを拡開移動させることにより、係合ピンを着脱可能としてあるので、チェーンの着脱を簡単・確実に行うことができる。
【００１２】
また、請求項３に係る発明では、第１の係止部は、チェーンを連結する連結棒と、係止用突起に係止する押え棒と、クランプ機構を支持する支持棒の両端部をプレートで固定した梯子状のものであり、前記押え棒は両端部をプレートに形成された長溝に沿って上下動自在とされており、前記クランプ機構の締め上げにより第１の係止部の外枠部が引き上げられてチェーンが本管をクランプするよう構成されているので、分岐継手を本管の側面にピッタリと接合することができる。
【００１３】
また、請求項４に係る発明では、第２の係止部は、チェーンを連結する連結棒と、係止用突起に係止する押え棒の両端部をプレートで結合した枠状のものであるので、係止用突起を連結棒と押え棒間にキッチリと挟み込んで確実に係止することができる。
【発明を実施するための最良の形態】
【００１４】
以下に、図面を参照しつつ本発明の好ましい実施の形態を示す。
図１は、本発明のサドルクランプ装置を示す全体平面図、図２は使用状態を示す側面図、図３は使用状態を第１の係止部側から見た要部の斜視図、図４は同じく使用状態を第２の係止部側から見た要部の斜視図である。
図示のものは、鞍状のサドル部２２の両側下端部に、それぞれ係止用突起２３を設けた分岐継手２０を本管３０の側面に接合した状態を保持するためのサドルクランプ装置であり、基本的には一方の側の係止用突起２３に係止される第１の係止部１と、他方の側の係止用突起２３に係止される第１の第２の係止部２と、この２つの係止部１、２を連結するとともにサドル部２２との間で本管３０を抱き込むように配置されるチェーン３とからなるものである。
【００１５】
前記チェーン３は、ローラーチェーンであり、このチェーンの所定の箇所には、個々のチェーン要素を連結するピンに代えて、外側に向け先端を突出している長さ調整用の係合ピン３ａが複数突設されている。実際には、本管３０の外径は規格により決められているので、それに対応できるよう数種類の係合ピン３ａを突設しておけばよい。
【００１６】
また、第１の係止部１には前記係合ピン３ａを係合するチェーン着脱手段４が設けられており、このチェーン着脱手段４に本管３０の外径に対応した長さとなるように選択したいずれかの係合ピン３ａを係合させてチェーン３を連結した構造となっている。
即ち、チェーン３の一端は第２の係止部２に連結固定されており、一方、チェーン３の他端部側はいずれかの係合ピン３ａが選択されてチェーン着脱手段４に係合され、長さ調整されることにより、１本のチェーン３だけで、チェーンの長さを本管３０の外径に対応した種々の長さになるよう調整することができる構造となっている。
【００１７】
図示のものでは、前記チェーン着脱手段４は、長さ調整用の係合ピン３ａを挿入するための孔部４ａ（図８〜図９を参照）を設けた一対のチェーン挟持プレート４ｂ、４ｂを有しており、このチェーン挟持プレート４ｂを常時はコイルバネ等のバネ部材４ｃで弾発されてチェーンを挟持している。そして、係合ピンの係合位置を変更する場合は、バネ部材４ｃの弾発に反して一方のチェーン挟持プレート４ｂを拡開移動させ係合ピン３ａを着脱するよう構成されている。
図において、４ｄは前記チェーン挟持プレート４ｂ、４ｂを枢着支持するための枢着ピンであり、また、４ｅはこの枢着ピン４ｄを挿通保持するためのブラケットで、このブラケット４ｅが連結棒１ａにピン止めされた構造となっている。
なお、係合ピンの係合位置変更についての具体的な操作手順については後述する。
【００１８】
その他、チェーン着脱手段４としては、図５に示すように、挟持プレート４ｂにフック部４ｆを設けて、ここにチェーンの係合ピン３ａを引っ掛けるとともに、コイルバネ４ｇにより抜け止めを図った構造のものとすることができる。また、図６に示すように、挟持プレート４ｂにフック部４ｆを設けて、ここにチェーンの係合ピン３ａを単に引っ掛けただけの構造としたものや、更には、図７に示すように、チェーン着脱手段自体をフック部４ｆを有するコ字状部材からなるものとし、前記フック部４ｆをチェーンの軸部３ｂに引っ掛けただけの構造としたものとすることもできる。
【００１９】
また、前記第１の係止部１は、チェーンを連結する連結棒１ａと、サドル部２２に突設した係止用突起２３に係止される押え棒１ｂと、クランプ機構５を支持する支持棒１ｃとが順に並べられ、それぞれ両端部をプレート１ｄ、１ｄで固定された梯子状のものとなっている。なお、前記押え棒１ｂは両端部をプレートに形成された長溝１ｅ（図２、３を参照）に沿って上下動自在とされている。
【００２０】
また、クランプ機構５は、支持棒１ｃに対し昇降自在なネジ棒５ａと、このネジ棒５ａの下端にブラケット５ｃを介して接続した押え棒１ｂを有しており、上端にある回動用のノブ５ｂを回動してネジ棒５ａを締め上げると、押え棒１ｂと係止用突起２３の係止点を基準にして第１の係止部１の外枠部が引き上げられ、この結果、チェーン３が緊張されて本管３０がしっかりとクランプされるよう構成されている。
【００２１】
一方、第２の係止部２は、チェーン３を連結する連結棒２ａと、サドル部２２に突設した係止用突起２３に係止される押え棒２ｂとが、両端部をプレート２ｄ、２ｄで枢着された枠状のものであり、前記連結棒２ａにチェーン３の一端が連結固定してある。なお、連結棒２ａとチェーン３の連結は、従来のようにチェーンの入れ替えがないため、ピン等によって完全に連結しておけばよい。なお、２ｅはチェーン３を連結棒２ａに連結するためのブラケットである。
【００２２】
図３に第１の係止部１側から見た使用状態の要部を示すが、サドル部２２に突設された係止用突起２３は、第１の係止部１の押え棒１ｂにしっかりと係止された状態となっており、また連結棒１ａに連結したチェーン３が本管３０の外周面をしっかりと保持した状態となっている。
また、図４に第２の係止部２側から見た使用状態の要部を示すが、係止用突起２３は、第２の係止部２の連結棒２ａと押え棒２ｂとの間でしっかりと係止された状態となっている。
【００２３】
このように、本発明のクランプ装置により分岐継手２０を本管３０に密着させた状態とした後は、端子２４（図１０を参照）からサドル部２２の内部に配線されている電熱線に通電し、発熱させることにより、サドル部２２の内周面及びこれに密着している本管３０の外周面の接合面とを融着接合する。
なお、図示のものでは分岐管２１の延長部に切断刃（図示せず）を内蔵しているキャップ２５が装着されており、分岐継手２０を接合した状態でキャップ２５をねじ込むと前記切断刃により本管３０の側面に貫通孔を形成することができる構造となっている。
【００２４】
次に、前記チェーン着脱手段４により、係合ピンの係合位置を変更する場合について、図８〜図９に基づき説明する。
図５に示されるように、第１の係止部１に設けられたチェーン着脱手段４には、本管３０の外径に対応した長さとなるように選択したいずれかの係合ピン３ａが、挟持プレート４ｂの孔部４ａに挿入されることでチェーン３が連結され、使用に供されている。この場合、前記挟持プレート４ｂはバネ部材４ｃで弾発されてチェーン３を挟持しているので、係合ピン３ａが抜けるおそれはない。
【００２５】
次いで、クランプすべき本管３０の外径が変わる場合は、従来のようにチェーンを取り替えるのではなく、チェーン着脱手段４とのチェーン３の連結位置を変更するのみで対応することができる。
即ち、図９に示されるように、係合ピン３ａの係合位置を変更するには、枢着ピン４ｄを図面の左方向へ押し、バネ部材４ｃの弾発に反して一方の挟持プレート４ａを拡開移動させる。挟持プレート４ａ、４ａ間の距離が開いた状態で、係合ピン３ａをそれぞれ孔部４ａより抜き、チェーン着脱手段４よりチェーン３を離脱する。次いで、新たな本管３０の外径に対応した長さとなるようにいずれかの係合ピン３ａを選択し、上記と逆の手順によりチェーン着脱手段４に係合してチェーン３を連結する。
【００２６】
その後は、クランプ機構５のノブ５ｂを回動して締め上げれば、第１の係止部１の外枠部が引き上げられ、チェーン３が緊張されて本管３０がしっかりとクランプされることとなる。
【００２７】
以上の説明からも明らかなように、本発明のサドルクランプ装置では、チェーンに長さ調整用の係合ピンが複数突設されているとともに、第１の係止部には前記係合ピンを係合するチェーン着脱手段が設けられており、このチェーン着脱手段に本管の外径に対応した長さとなるように選択したいずれかの係合ピンを係合させてチェーンを連結する構造としたので、多数のチェーンを準備する必要がなくコストの低減を図ることができる。また、１本のチェーンだけであるので、保管・搬送等が簡単であり、紛失の恐れもない。更には、チェーン取り付け位置の変更も簡単におこなうことができ、作業性の向上が図れるという利点もある。
【図面の簡単な説明】
【００２８】
【図１】本発明の実施の形態を示す平面図である。
【図２】使用状態を示す側面図である。
【図３】使用状態を第１の係止部側から見た要部の斜視図である。
【図４】使用状態を第２の係止部側から見た要部の斜視図である。
【図５】（ａ）はチェーン着脱手段の一例を示す正面図、（ｂ）は側面図である。
【図６】（ａ）はその他のチェーン着脱手段の例を示す正面図、（ｂ）は側面図である。
【図７】（ａ）はその他のチェーン着脱手段の例を示す正面図、（ｂ）は側面図である。
【図８】係合ピンの係合位置の変更手順の説明図である。
【図９】係合ピンの係合位置の変更手順の説明図である。
【図１０】本管に分岐継手を接合した状態を示す斜視図である。
【符号の説明】
【００２９】
１  第１の係止部
１ａ  連結棒
１ｂ  押え棒
１ｃ  支持棒
１ｄ  プレート
２  第２の係止部
２ａ  連結棒
２ｂ  押え棒
２ｄ  プレート
２ｅ  ブラケット
３  チェーン
３ａ  長さ調整用の係合ピン
４  チェーン着脱手段
４ａ  孔部４ａ
４ｂ  挟持プレート
４ｃ  バネ部材
４ｄ  枢着ピン
４ｅ  ブラケット
５  クランプ機構
５ａ  ネジ棒
５ｂ  ノブ
５ｃ  ブラケット
２０  分岐継手
２１  分岐管
２２  サドル部
２３  係止用突起
３０  本管
【図１】
2010060039.tif 000003
【図２】
2010060039.tif 000004
【図３】
2010060039.tif 000005
【図４】
2010060039.tif 000006
【図５】
2010060039.tif 000007
【図６】
2010060039.tif 000008
【図７】
2010060039.tif 000009
【図８】
2010060039.tif 000010
【図９】
2010060039.tif 000011
【図１０】
2010060039.tif 000012